(57)【特許請求の範囲】
【請求項１】
平行に配置されると共に、それぞれの昇降方向が逆向きに設定された下側階段部と上側階段部とを有し、建物の下階と上階とを連絡する階段の仕切り構造であって、
前記下階の床面から立設し、前記下側階段部と前記上側階段部との間に起立した複数の支柱と、前記複数の支柱間に設けられた壁面パネルと、を備え、
前記壁面パネルは、上端縁が前記下側階段部の勾配に沿って傾斜すると共に、この上端縁が前記上側階段部の側桁よりも低い位置に設定された下側パネル部と、下端縁が前記上側階段部の勾配に沿って傾斜すると共に、この下端縁が前記下側パネル部の上端縁よりも高い位置に設定された上側パネル部と、前記下側パネル部の上端縁と前記上側パネル部の下端縁との間に設けられた開放部と、を有し、
前記下側パネル部は板ガラスの周縁に外嵌する枠体を有し、前記下側パネル部の枠体は、隣接する一対の支柱の互いに対向する側面間に設けられ、
前記上側パネル部は板ガラスの周縁に外嵌する枠体を有し、前記上側パネル部の枠体は、隣接する一対の支柱の互いに対向する側面間に設けられている
ことを特徴とする階段の仕切り構造。
【請求項２】
請求項１に記載された階段の仕切り構造において、
前記枠体は、前記板ガラスが差し込まれる凹部を有する
ことを特徴とする階段の仕切り構造。
【請求項３】
請求項１又は請求項２に記載された階段の仕切り構造において、
前記下側パネル部及び前記上側パネル部は、グレイジングチャンネルを介して前記板ガラスの周縁に前記枠体が外嵌されている
ことを特徴とする階段の仕切り構造。
【請求項４】
請求項１から請求項３のいずれか一項に記載された階段の仕切り構造において、
前記下側階段部の勾配に合った傾斜状態で、前記複数の支柱に支持されている下側手摺り部と、
前記上側階段部の勾配に合った傾斜状態で、前記複数の支柱に支持されている上側手摺り部と、
を備えることを特徴する階段の仕切り構造。
【請求項５】
請求項１から請求項４のいずれか一項に記載された階段の仕切り構造において、
前記支柱は、中空の外側支柱部と、前記外側支柱部の内部に収容された内側補強部材と、を有する
ことを特徴とする階段の仕切り構造。
【請求項６】
請求項１から請求項５のいずれか一項に記載された階段の仕切り構造において、
前記支柱は、前記下階の床面に固定されたベースプレートから立設した突出部と、前記突出部が挿入される差込部が下端に形成されていると共に、前記下側パネル部及び上側パネル部を支持する支柱本体部と、を有する
ことを特徴とする階段の仕切り構造。
【請求項７】
請求項１から請求項６のいずれか一項に記載された階段の仕切り構造において、
前記下側パネル部の枠体の下部は、前記隣接する一対の支柱にそれぞれ設けられた第１の下側支持金具によって支持され、
前記上側パネル部の枠体の下部は、前記隣接する一対の支柱にそれぞれ設けられた第２の下側支持金具によって支持され、
前記第１の下側支持金具は、上方に向かって突出し、前記下側パネル部の枠体に形成されて下方に開放した下部開口に差し込まれた上向き爪部を有し、
前記第２の下側支持金具は、上方に向かって突出し、前記上側パネル部の枠体に形成されて下方に開放した下部開口に差し込まれた上向き爪部を有する
ことを特徴とする階段の仕切り構造。 
【請求項８】
請求項１から請求項７のいずれか一項に記載された階段の仕切り構造において、
前記下側パネル部の枠体の上部は、前記隣接する一対の支柱にそれぞれ設けられた第１の上側支持金具によって支持され、
前記上側パネル部の枠体の上部は、前記隣接する一対の支柱にそれぞれ設けられた第２の上側支持金具によって支持され、
前記第１の上側支持金具は、下方に向かって突出し、前記下側パネル部の枠体に形成されて上方に開放した上部開口に差し込まれた下向き爪部を有し、
前記第２の上側支持金具は、下方に向かって突出し、前記上側パネル部の枠体に形成されて上方に開放した上部開口に差し込まれた下向き爪部を有する
ことを特徴とする階段の仕切り構造。 
【請求項９】
請求項１から請求項８のいずれか一項に記載された階段の仕切り構造において、
前記支柱は、前記下側階段部に対向した第１側面から前記下側階段部に向かって突出した第１係止爪と、前記上側階段部に対向した第２側面から前記上側階段部に向かって突出した第２係止爪と、を有し、
前記第１側面には、前記第１係止爪と係合する第１被係止部が内側面に形成された第１化粧板が取り付けられ、前記第２側面には、前記第２係止爪と係合する第２被係止部が内側面に形成された第２化粧板が取り付けられている
ことを特徴とする階段の仕切り構造。
【請求項１０】
請求項９に記載された階段の仕切り構造において、
前記第１側面には、前記第１係止爪が一対形成されていると共に、この一対の第１係止爪の間に配置され且つ前記第１化粧板に覆われた第１外側補強部材が設けられ、
前記第２側面には、前記第２係止爪が一対形成されていると共に、この一対の第１係止爪の間に配置され且つ前記第２化粧板に覆われた第２外側補強部材が設けられている
ことを特徴とする階段の仕切り構造。
【請求項１１】
互いに平行に配置されると共に、それぞれの昇降方向が逆向きに設定された下側階段部と上側階段部とを有し、下階と上階とを連絡する階段と、
請求項１から請求項１０のいずれか一項に記載された階段の仕切り構造と、
を有することを特徴とする建物。
【発明の詳細な説明】
【技術分野】
【０００１】
本発明は、平行に配置されると共に、昇降方向が逆向きに設定された下側階段部と上側階段部とを有する階段の仕切り構造及びそれを備えた建物に関するものである。
【背景技術】
【０００２】
従来、中間部に設けられた踊り場や曲り部によって昇降方向が１８０度逆向きに曲げられた下側階段部と上側階段部を有する階段では、踊り場や曲り部の下側と上側でそれぞれ手摺りや壁面パネルを設けているのが一般的である（例えば、特許文献１及び特許文献２参照）。
一方、このような途中位置が折り返す階段において、下側階段部と上側階段部との間に壁面パネルを設置した階段の仕切り構造が知られている（例えば、特許文献３〜７参照）。
【先行技術文献】
【特許文献】
【０００３】
【特許文献１】特開２００８-３８４３９号公報
【特許文献２】実開平４-１１３６２８号公報
【特許文献３】特開平６-１４６５２１号公報
【特許文献４】特開平６-１６７０７９号公報
【特許文献５】特開２００３-３４３０６１号公報
【特許文献６】特開２００４-２１１３７７号公報
【特許文献７】特開平１１-２４７３８９号公報
【発明の概要】
【発明が解決しようとする課題】
【０００４】
ところで、従来の階段の仕切り構造にあっては、下側階段部と上側階段部との間に設置された壁面パネルが、下側階段部の側方から上側階段部の側方にかけて一体的に設けられている。
そのため、下側階段部の側方が壁面パネルによって閉鎖されてしまい、閉塞感や圧迫感を感じさせるという問題が生じていた。
【０００５】
本発明は、上記問題に着目してなされたもので、平行に配置されると共に、昇降方向が逆向きに設定された下側階段部と上側階段部の間に壁面パネルを設置した際、閉塞感や圧迫感を低減させることができる階段の仕切り構造及びそれを備えた建物を提供することを目的とする。
【課題を解決するための手段】
【０００６】
上記目的を達成するため、本発明の階段の仕切り構造は、
平行に配置されると共に、それぞれの昇降方向が逆向きに設定された下側階段部と上側階段部とを有し、建物の下階と上階とを連絡する階段の仕切り構造であって、
前記下階の床面から立設し、前記下側階段部と前記上側階段部との間に起立した複数の支柱と、前記複数の支柱間に設けられた壁面パネルと、を備え、
前記壁面パネルは、上端縁が前記下側階段部の勾配に沿って傾斜すると共に、この上端縁が前記上側階段部の側桁よりも低い位置に設定された下側パネル部と、下端縁が前記上側階段部の勾配に沿って傾斜すると共に、この下端縁が前記下側パネル部の上端縁よりも高い位置に設定された上側パネル部と、前記下側パネル部の上端縁と前記上側パネル部の下端縁との間に設けられた開放部と、を有する階段の仕切り構造とした。
【０００７】
また、本発明の階段の仕切り構造では、前記下側階段部の勾配に合った傾斜状態で、前記複数の支柱に支持されている下側手摺り部と、前記上側階段部の勾配に合った傾斜状態で、前記複数の支柱に支持されている上側手摺り部と、を備えていることが好ましい。
また、本発明の階段の仕切り構造では、前記支柱は、中空の外側支柱部と、前記外側支柱部の内部に収容された内側補強部材と、を有することが好ましい。
また、本発明の階段の仕切り構造では、前記支柱は、前記下階の床面に固定されたベースプレートから立設した突出部と、前記突出部が挿入される差込部が下端に形成されていると共に、前記下側パネル部及び上側パネル部を支持する支柱本体部と、を有することが好ましい。
また、本発明の階段の仕切り構造では、前記下側パネル部及び前記上側パネル部は、前記支柱に設けられた下側支持金具によって支持され、前記下側支持金具は、上方に向かって突出し、前記下側パネル部の枠体に形成されて下方に開放した下部開口、又は、前記上側パネル部の枠体に形成されて下方に開放した下部開口に差し込まれた上向き爪部を有することが好ましい。
また、本発明の階段の仕切り構造では、前記下側パネル部及び前記上側パネル部は、前記支柱に設けられた上側支持金具によって支持され、前記上側支持金具は、下方に向かって突出し、前記下側パネル部の枠体に形成されて上方に開放した上部開口、又は、前記上側パネル部の枠体に形成されて上方に開放した上部開口に差し込まれた下向き爪部を有することが好ましい。
また、本発明の階段の仕切り構造では、前記支柱は、前記下側階段部に対向した第１側面から前記下側階段部に向かって突出した第１係止爪と、前記上側階段部に対向した第２側面から前記上側階段部に向かって突出した第２係止爪と、を有し、前記第１側面には、前記第１係止爪と係合する第１被係止部が内側面に形成された第１化粧板が取り付けられ、前記第２側面には、前記第２係止爪と係合する第２被係止部が内側面に形成された第２化粧板が取り付けられていることが好ましい。
また、本発明の階段の仕切り構造では、前記第１側面には、前記第１係止爪が一対形成されていると共に、この一対の第１係止爪の間に配置され且つ前記第１化粧板に覆われた第１外側補強部材が設けられ、前記第２側面には、前記第２係止爪が一対形成されていると共に、この一対の第１係止爪の間に配置され且つ前記第２化粧板に覆われた第２外側補強部材が設けられていることが好ましい。
【０００８】
さらに、上記目的を達成するため、本発明の建物は、
互いに平行に配置されると共に、それぞれの昇降方向が逆向きに設定された下側階段部と上側階段部とを有し、下階と上階とを連絡する階段と、
請求項１から請求項８のいずれか一項に記載された階段の仕切り構造と、
を有する建物とした。
【発明の効果】
【０００９】
よって、本発明の階段の仕切り構造では、上側階段部の勾配に沿って傾斜する上側パネル部の下端縁が、下側階段部の勾配に沿って傾斜し、上側階段部の側桁よりも低い位置に設定された下側パネル部の上端縁よりも高い位置に設定されることになる。そのため、下側パネル部の上端縁と上側パネル部の下端縁との間に、開放部を設けることができる。
そのため、下側階段部と上側階段部の間が壁面パネルによって閉鎖されることがなくなる。この結果、平行に配置されると共に、昇降方向が逆向きに設定された下側階段部と上側階段部の間に壁面パネルを設置した際、閉塞感や圧迫感を低減して、開放感を感じさせることができる。
【００１０】
さらに、下側手摺り部と上側手摺り部とを備えるものでは、下側手摺り部を支持する構造と、上側手摺り部を支持する構造とを共通化でき、例えば、手摺り部を支持する構造が階段に沿って折り返す場合と比べて、有効階段幅の縮小を防止できる。
さらに、支柱が、外側支柱部と内側補強部材とを有するものでは、支柱断面積の拡大を抑制しつつ、支柱強度を向上することができる。
さらに、支柱が、ベースプレートから突出した突出部と支柱本体部とを有するものでは、長尺な支柱を直接床面に設置する場合と比べて、施工性を向上し、支柱の傾きや位置ずれを防止することができる。
さらに、下側パネル部及び上側パネル部が、支柱に設けられた下側支持金具によって支持されるものでは、下側パネル部及び上側パネル部の支持強度の向上を図ることができる。
さらに、下側パネル部及び上側パネル部が、支柱に設けられた上側支持金具によって支持されるものでは、下側パネル部及び上側パネル部が支柱から脱落することを防止できる。
さらに、支柱が第１係止爪と第２係止爪を有し、この第１係止爪を介して第１側面に第１化粧板が取り付けられ、第２係止爪を介して第２側面に第２化粧板が取り付けられるものでは、化粧材の取り付け施工性の向上を図ることができる。
さらに、支柱の第１側面に第１外側補強部材が設けられ、第２側面に第２外側補強部材が設けられたものでは、支柱断面積の拡大を抑制しつつ、支柱強度を向上することができる。
【００１１】
そして、このような階段の仕切り構造を備えた建物では、平行に配置されると共に、昇降方向が逆向きに設定された下側階段部と上側階段部の間に壁面パネルを設置した際、閉塞感や圧迫感を低減して、開放感を感じさせることができる建物を提供することができる。
【図面の簡単な説明】
【００１２】
【図１】実施例１の仕切り構造が設置された建物の階段を示す斜視図である。
【図２Ａ】実施例１の階段の仕切り構造の全体構成を示す斜視図である。
【図２Ｂ】実施例１の階段の仕切り構造の全体構成を示す側面図である。
【図３Ａ】実施例１の階段の仕切り構造が備える前側支柱を示す分解斜視図である。
【図３Ｂ】実施例１の階段の仕切り構造が備える中央支柱を示す分解斜視図である。
【図３Ｃ】実施例１の階段の仕切り構造が備える後側支柱を示す分解斜視図である。
【図４】図２Ａに示すＡ−Ａ断面図である。
【図５】図２Ａに示すＢ−Ｂ断面図である。
【図６】図２Ａに示すＣ−Ｃ断面図である。
【図７】図２Ａに示すＤ−Ｄ断面図である。
【図８】図２Ａに示すＥ−Ｅ断面図である。
【図９】図２Ａに示すＦ−Ｆ断面図である。
【図１０】図２Ａに示すＧ−Ｇ断面図である。
【図１１】図２Ａに示すＨ−Ｈ断面図である。
【図１２】図２Ａに示すＪ−Ｊ断面図である。
【図１３】図２Ａに示すＫ−Ｋ断面図である。
【図１４】図２Ａに示すＭ−Ｍ断面図である。
【図１５】図２Ａに示すＮ−Ｎ断面図である。
【図１６】実施例１の階段の仕切り構造が備える壁面パネルを示す分解斜視図である。
【図１７】下側パネル部の下部支持構造を示す斜視図である。
【図１８】下側パネル部の上部支持構造及び上側パネル部の下部支持構造を示す斜視図である。
【図１９】上側パネル部の下部支持構造を示す斜視図である。
【図２０】上側パネル部の上部支持構造を示す斜視図である。
【図２１】上側パネル部の上部支持構造及びガラスパネルの上部支持構造を示す斜視図である。
【図２２】ガラスパネルの上部支持構造を示す斜視図である。
【図２３】実施例１の階段の仕切り構造が備える手摺りを示す分解斜視図である。
【図２４】実施例１の階段の仕切り構造が備える上階腰壁を示す分解斜視図である。
【図２５】図２４に示すＯ−Ｏ断面図である。
【図２６】腰壁パネル部の下部支持構造を示す斜視図である。
【図２７】腰壁パネル部の上部支持構造を示す斜視図である。
【図２８】腰壁パネル部の上部支持構造を示す斜視図である。
【発明を実施するための形態】
【００１３】
以下、本発明の階段の仕切り構造及びそれを備えた建物を実施するための形態を、図面に示す実施例１に基づいて説明する。
【００１４】
（実施例１）
まず、実施例１の階段の仕切り構造及びそれを備えた建物の構成を、「全体構成」、「支柱の詳細構成」、「壁面パネルの詳細構成」、「手摺りの詳細構成」、「上階腰壁の詳細構成」に分けて説明する。
【００１５】
［全体構成］
図１は、実施例１の仕切り構造が設置された建物の階段を示す斜視図であり、図２Ａ及び図２Ｂは、実施例１の階段の仕切り構造の全体構成を示している。以下、図１〜図２Ｂに基づいて、実施例１の全体構成を説明する。
【００１６】
図１に示すように、複数の梁材１ａ及び柱材１ｂによって骨組みが形成される建物ユニット１（建物）は、階段１０と、実施例１の階段の仕切り構造２０と、を備えている。
【００１７】
前記階段１０は、互いに平行に配置されると共に、それぞれの昇降方向が逆向きに設定された下側階段部１１と、上側階段部１２と、を有し、建物の下階２と上階３とを連絡する。この階段１０は、下側階段部１１と上側階段部１２との間に踊り場１３が設置されている。
すなわち、下側階段部１１は、下階２の床面２ａから踊り場１３までの間に設けられ、上側階段部１２は、踊り場１３から上階３の床面３ａまでの間に設けられ、踊り場１３によってその昇降方向が１８０度曲がっている。
【００１８】
前記階段の仕切り構造２０は、階段１０の下側階段部１１と上側階段部１２との間に設置され、両階段部１１,１２の間を区画する。この階段の仕切り構造２０は、図２Ａ及び図２Ｂに示すように、複数の支柱（前側支柱３０、中央支柱４０、後側支柱５０）と、これら複数の支柱（前側支柱３０、中央支柱４０、後側支柱５０）間に設けられた壁面パネル６０と、複数の支柱（前側支柱３０、中央支柱４０、後側支柱５０）に支持された手摺り７０と、を備えている。さらに、この実施例１の階段の仕切り構造２０では、上階腰壁１００（図１参照）が設置されている。
【００１９】
［支柱の詳細構成］
図３Ａ〜図３Ｃは、実施例１の階段の仕切り構造が備える複数の支柱を示す分解斜視図であり、図３Ａは前側支柱を示し、図３Ｂは中央支柱を示し、図３Ｃは後側支柱を示す。また、図４〜図１５は、複数の支柱における適宜位置の断面図である。以下、図２Ａ〜図１５に基づき、実施例１の複数の支柱の詳細構成を説明する。
【００２０】
実施例１の複数の支柱は、図２Ａに示すように、３本の支柱で構成され、階段１０の上り口１０ａ側（図１参照）から踊り場１３に向かって順に、前側支柱３０、中央支柱４０、後側支柱５０とする。
【００２１】
前記前側支柱３０は、図３Ａに示すように、ベース部３１と、下側支柱本体部３２と、上側支柱本体部３３と、内側補強部材３４と、外側補強部材３５と、化粧材３６と、を有している。
【００２２】
前記ベース部３１は、下階２の床面２ａに図示しないボルトによって固定される平板状のベースプレート３１ａと、このベースプレート３１ａから立設した突出部３１ｂと、を有している。ここで、突出部３１ｂは、断面コ字状のチャンネル鋼（溝形鋼）から形成され、ウエブ３１ｃが階段１０の上り口１０ａに向いた状態で、ベースプレート３１ａに溶着固定されている。
【００２３】
前記下側支柱本体部３２は、両端が開放したアルミニウム製の中空の矩形管により形成され、外側支柱部となっている。この下側支柱本体部３２は、下端部が、突出部３１ｂが差し込まれる差込部３２ａになっており、この差込部３２ａに突出部３１ｂが差し込まれ、ボルトＢにより固定されている（図４参照）。また、図４〜図６に示すように、この下側支柱本体部３２の側面には、一対の第１係止爪３２ｂ,３２ｂと、一対の第２係止爪３２ｃ,３２ｃと、化粧凸面３２ｄと、フランジ３２ｅと、が形成されている。
ここで、一対の第１係止爪３２ｂ,３２ｂは、下側階段部１１に対向した第１側面３２ｆから、下側階段部１１に向かって突出形成されている。また、一対の第２係止爪３２ｃ,３２ｃは、上側階段部１２に対向した第２側面３２ｇから、上側階段部１２に向かって突出形成されている。そして、化粧凸面３２ｄは、階段１０の上り口１０ａ側に向いた第３側面３２ｈに形成され、フランジ３２ｅは、踊り場１３に向いた第４側面３２ｊから、踊り場１３に向かって突出形成されている。
【００２４】
さらに、この下側支柱本体部３２の第４側面３２ｊには、図３Ａに示すように、下側パネル部６３の枠体Ｗ６３の下部を支持する第１金具８１（下側支持金具）と、下側パネル部６３の枠体Ｗ６３の上部を支持する第２金具８２（上側支持金具）と、が設けられている。
ここで、第１金具８１は、第４側面３２ｊにビス止めされる取付片８１ａと、この取付片８１ａの上端部をクランク状に折り曲げて形成され、上方に向かって突出した上向き爪部８１ｂと、を有している。また、第２金具８２は、第４側面３２ｊにビス止めされる取付片８２ａと、この取付片８２ａの下端部をクランク状に折り曲げて形成され、下方に向かって突出した下向き爪部８２ｂと、を有している。
【００２５】
前記上側支柱本体部３３は、両端が開放したアルミニウム製の中空の矩形管により形成され、外側支柱部となっている。この上側支柱本体部３３は、下側支柱本体部３２の上端部に連続した状態で設置される。なお、ここでは、内側補強部材３４に対して下側支柱本体部３２及び上側支柱本体部３３が固定されることで、下側支柱本体部３２と上側支柱本体部３３とが連続している。
また、この上側支柱本体部３３の側面には、図７及び図８に示すように、フランジ３３ａと、一対の第２係止爪３３ｂ,３３ｂと、一対の第３係止爪３３ｃ,３３ｃと、フランジ３３ｄと、が形成されている。
ここで、フランジ３３ａは、下側階段部１１に対向した第１側面３３ｆから、下側階段部１１に向かって突出形成されている。また、一対の第２係止爪３３ｂ,３３ｂは、上側階段部１２に対向した第２側面３３ｇから、上側階段部１２に向かって突出形成されている。また、一対の第３係止爪３３ｃ,３３ｃは、階段１０の上り口１０ａ側に向いた第３側面３３ｈに形成され、フランジ３３ｄは、踊り場１３に向いた第４側面３３ｊから、踊り場１３に向かって突出形成されている。
【００２６】
さらに、この上側支柱本体部３３の第４側面３３ｊには、図３Ａに示すように、上側パネル部６４の枠体Ｗ６４の下部を支持する第３金具８３（下側支持金具）と、上側パネル部６４の枠体Ｗ６４の上部を支持する第４金具８４（上側支持金具）と、が設けられている。
また、この上側支柱本体部３３の第１側面３３ｆには、腰壁パネル部１０２の枠体Ｗ１０２の下部を支持する第５金具８５（下側支持金具）が設けられている。そして、この上側支柱本体部３３の上端には、腰壁パネル部１０２の枠体Ｗ１０２の上部を支持する第６金具８６（上側支持金具）が設けられている。
【００２７】
ここで、第３金具８３は、第４側面３３ｊにビス止めされる取付片８３ａと、この取付片８３ａの上端部をクランク状に折り曲げて形成され、上方に向かって突出した上向き爪部８３ｂと、を有している。また、第４金具８４は、第４側面３３ｊにビス止めされる取付片８４ａと、この取付片８４ａの下端部をクランク状に折り曲げて形成され、下方に向かって突出した下向き爪部８４ｂと、を有している。また、第５金具８５は、第１側面３３ｆにビス止めされる取付片８５ａと、この取付片８５ａの上端部をクランク状に折り曲げて形成さ、上方に向かって突出した上向き爪部８５ｂと、を有している。
さらに、第６金具８６は、上側支柱本体部３３の上端を覆う上面部８６ａと、上面部８６ａの周端縁の一部を下方に屈曲することで形成され、第４側面３３ｊにビス止めされる取付片８６ｂと、上面部８６ａの周端縁の一部を下方に屈曲することで形成され、下方に向かって突出した下向き爪部８６ｃと、を有している。
【００２８】
前記内側補強部材３４は、両端が開放した鉄製の一対の中空矩形管により構成され、下側支柱本体部３２及び上側支柱本体部３３の内部に収容されている。この内側補強部材３４は、内部にナットを溶接した薄板部材を滑り込ませ、予め内側補強部材３４及び下側支柱本体部３２や上側支柱本体部３３に設けられた孔に対して、この薄板部材を合わせる。そして、この孔に合わせてビス固定することで、適宜の位置が下側支柱本体部３２又は上側支柱本体部３３に固定されている。
なお、この内側補強部材３４の下端部は、ベース部３１の突出部３１ｂの先端と干渉する。
【００２９】
前記外側補強部材３５は、図３Ａに示すように、長尺鉄製の平板鋼板によって形成され、第１外側補強部材３５ａと、第２外側補強部材３５ｂと、を有している。
ここで、第１外側補強部材３５ａは、図５及び図６に示すように、一対の第１係止爪３２ｂ,３２ｂの間に配置されると共に、下側支柱本体部３２の第１側面３２ｆに固定されている。また、第２外側補強部材３５ｂは、図５及び図６に示すように、一対の第２係止爪３２ｃ,３２ｃの間に配置されると共に、下側支柱本体部３２の第２側面３２ｇに固定されている。
なお、第１外側補強部材３５ａ及び第２外側補強部材３５ｂは、図６に示すように、第２外側補強部材３５ｂ、第２側面３２ｇ、内側補強部材３４、第１側面３２ｆ、を貫通し、第１外側補強部材３５ａに形成されたネジ穴３５ｃに螺合するボルトＢによって固定される。また、この第１,第２外側補強部材３５ａ,３５ｂの下側支柱本体部３２に対向した側面には、図示しないが、内側補強部材３４を固定するためのボルト（不図示）との干渉を防止する凹部が適宜形成されている。さらに、この第１,第２外側補強部材３５ａ,３５ｂは、図３Ａに示すように、ベース部３１に下側支柱本体部３２を固定するボルトＢ（図４参照）と干渉しない領域に設けられている。
【００３０】
前記化粧材３６は、図３Ａに示すように、第１化粧板３６ａと、第２化粧板３６ｂと、第３化粧板３６ｃと、第４化粧板３６ｄと、第１補助板３６ｅと、第２補助板３６ｆと、第３補助板３６ｇと、を有している。
【００３１】
ここで、第１化粧板３６ａは、幅方向両側部が屈曲された長尺の薄板材であり、図４〜図６に示すように、下側支柱本体部３２の第１係止爪３２ｂ,３２ｂと係合する一対の第１被係止部３６ｈ,３６ｈが内側面３６ａ´に形成されている。この第１化粧板３６ａは、第１被係止部３６ｈ,３６ｈと第１係止爪３２ｂ,３２ｂが係合することで、下側支柱本体部３２の第１側面３２ｆの全面を覆う。
また、第２化粧板３６ｂは、幅方向両端部が屈曲された長尺の薄板材であり、図４〜図６に示すように、下側支柱本体部３２の第２係止爪３２ｃ,３２ｃと係合する一対の第２被係止部３６ｊ,３６ｊが内側面３６ｂ´に形成されている。この第２化粧板３６ｂは、第２被係止部３６ｊ,３６ｊと第２係止爪３２ｃ,３２ｃが係合することで、下側支柱本体部３２の第２側面３２ｇの全面を覆う。
また、第３化粧板３６ｃは、幅方向両端部が屈曲された長尺の薄板材であり、図７,図８に示すように、上側支柱本体部３３の第２係止爪３３ｂ,３３ｂと係合する一対の第３被係止部３６ｋ,３６ｋが内側面３６ｃ´に形成されている。この第３化粧板３６ｃは、第３被係止部３６ｋ,３６ｋと第２係止爪３３ｂ,３３ｂが係合することで、上側支柱本体部３３の第２側面３３ｇの全面を覆う。
また、第４化粧板３６ｄは、幅方向一端部が屈曲された長尺の薄板材であり、図７,図８に示すように、上側支柱本体部３３の第３係止爪３３ｃ,３３ｃと係合する一対の第４被係止部３６ｍ,３６ｍが内側面３６ｄ´に形成されている。この第４化粧板３６ｄは、第４被係止部３６ｍ,３６ｍと第３係止爪３３ｃ,３３ｃが係合することで、上側支柱本体部３３の第３側面３３ｈの全面を覆う。
【００３２】
一方、第１補助板３６ｅは、幅方向両端部が屈曲された長尺の薄板材であり、図４に示すように、下側支柱本体部３２のフランジ３２ｅにねじ止めされる。この第１補助板３６ｅは、図３Ａに示すように、下側支柱本体部３２の第４側面３２ｊのうち、下側支柱本体部３２の下端から下側パネル部６３の下縁固定位置（第１金具８１の取付位置）までの領域を覆う。
また、第２補助板３６ｆは、幅方向両端部が屈曲された長尺の薄板材であり、図６に示すように、下側支柱本体部３２のフランジ３２ｅにねじ止めされる。この第２補助板３６ｆは、図３Ａに示すように、下側支柱本体部３２の第４側面３２ｊのうち、下側パネル部６３の上縁固定位置（第２金具８２の取付位置）から下側支柱本体部３２の上端までの領域を覆う。
また、第３補助板３６ｇは、幅方向両端部が屈曲された長尺の薄板材であり、図８に示すように、上側支柱本体部３３のフランジ３３ｄにねじ止めされる。この第３補助板３６ｇは、図３Ａに示すように、上側支柱本体部３３の第４側面３３ｊのうち、上側パネル部６４の上縁固定位置（第４金具８４の取付位置）から、上側支柱本体部３３の上端までの領域を覆う。
【００３３】
前記中央支柱４０は、図３Ｂに示すように、ベース部４１と、支柱本体部４２と、内側補強部材４４と、外側補強部材４５と、化粧材４６と、を有している。
【００３４】
前記ベース部４１は、下階２の床面２ａに図示しないボルトによって固定される平板状のベースプレート４１ａと、このベースプレート４１ａから立設した突出部４１ｂと、を有している。ここで、突出部４１ｂは、断面コ字状のチャンネル鋼（溝形鋼）から形成され、ウエブ４１ｃが階段１０の上り口１０ａに向いた状態で、ベースプレート４１ａに溶着固定されている。
【００３５】
前記支柱本体部４２は、両端が開放したアルミニウム製の中空の矩形管により形成され、外側支柱部となっている。この支柱本体部４２は、下端部が、突出部４１ｂが差し込まれる差込部４２ａになっており、この差込部４２ａに突出部４１ｂが差し込まれ、ボルトＢにより固定されている（図９参照）。また、図９〜図１２に示すように、この支柱本体部４２の側面には、一対の第１係止爪４２ｂ,４２ｂと、一対の第２係止爪４２ｃ,４２ｃと、フランジ４２ｄと、フランジ４２ｅと、が形成されている。
ここで、一対の第１係止爪４２ｂ,４２ｂは、下側階段部１１に対向した第１側面４２ｆから、下側階段部１１に向かって突出形成されている。また、一対の第２係止爪４２ｃ,４２ｃは、上側階段部１２に対向した第２側面４２ｇから、上側階段部１２に向かって突出形成されている。そして、フランジ４２ｄは、階段１０の上り口１０ａ側に向いた第３側面４２ｈから、上り口１０ａに向かって突出形成され、フランジ４２ｅは、踊り場１３に向いた第４側面４２ｊから、踊り場１３に向かって突出形成されている。
【００３６】
さらに、この支柱本体部４２の第３側面４２ｈには、下側パネル部６３の枠体Ｗ６３の下部を支持する第７金具８７（下側支持金具）と、下側パネル部６３の枠体Ｗ６３の上部を支持する第８金具８８（上側支持金具）と、上側パネル部６４の枠体Ｗ６４の下部を支持する第９金具８９（下側支持金具）と、が設けられている。
また、この支柱本体部４２の第４側面４２ｊには、ガラスパネル６６の枠体Ｗ６６の下部を支持する第１０金具９０（下側支持金具）と、ガラスパネル６６の枠体Ｗ６６の上部を支持する第１１金具９１（上側支持金具）と、が設けられている。
そして、この支柱本体部４２の上端には、上側パネル部６４の枠体Ｗ６４の上部を支持する第１２金具９２（上側支持金具）が設けられている。
【００３７】
ここで、第７金具８７は、第３側面４２ｈにビス止めされる取付片８７ａと、この取付片８７ａの上端部をクランク状に折り曲げて形成され、上方に向かって突出した上向き爪部８７ｂと、を有している。また、第８金具８８は、第３側面４２ｈにビス止めされる取付片８８ａと、この取付片８８ａの下端部をクランク状に折り曲げて形成され、下方に向かって突出した下向き爪部８８ｂと、を有している。また、第９金具８９は、第３側面４２ｈにビス止めされる取付片８９ａと、この取付片８９ａの上端部をクランク状に折り曲げて形成され、上方に向かって突出した上向き爪部８９ｂと、を有している。
そして、第１０金具９０は、第４側面４２ｊにビス止めされる取付片９０ａと、この取付片９０ａの上端部をクランク状に折り曲げて形成され、上方に向かって突出した上向き爪部９０ｂと、を有している。また、第１１金具９１は、第４側面４２ｊにビス止めされる取付片９１ａと、この取付片９１ａの下端部をクランク状に折り曲げて形成され、下方に向かって突出した下向き爪部９１ｂと、を有している。
さらに、第１２金具９２は、支柱本体部４２の上端を覆う上面部９２ａと、上面部９２ａの周端縁の一部を下方に屈曲することで形成され、第１側面４２ｆにビス止めされる取付片９２ｂと、上面部９２ａの周端縁の一部を下方に屈曲することで形成され、下方に向かって突出した下向き爪部９２ｃと、を有している。
【００３８】
前記内側補強部材４４は、両端が開放した鉄製の一対の中空矩形管により構成され、支柱本体部４２の内部に収容されている。この内側補強部材４４は、内部にナットを溶接した薄板部材を滑り込ませ、予め内側補強部材４４及び支柱本体部４２に設けられた孔に対して、この薄板部材を合わせる。そして、この孔に合わせてビス固定することで、適宜の位置が支柱本体部４２に固定されている。
なお、この内側補強部材４４の下端部は、ベース部４１の突出部４１ｂの先端と干渉する。
【００３９】
前記外側補強部材４５は、図３Ｂに示すように、長尺鉄製の平板鋼板によって形成され、第１外側補強部材４５ａと、第２外側補強部材４５ｂと、を有している。
ここで、第１外側補強部材４５ａは、図１０〜図１２に示すように、一対の第１係止爪４２ｂ,４２ｂの間に配置されると共に、支柱本体部４２の第１側面４２ｆに固定されている。また、第２外側補強部材４５ｂは、図１０〜図１２に示すように、一対の第２係止爪４２ｃ,４２ｃの間に配置されると共に、支柱本体部４２の第２側面４２ｇに固定されている。
なお、第１外側補強部材４５ａ及び第２外側補強部材４５ｂは、図１０に示すように、第２外側補強部材４５ｂ、第２側面４２ｇ、内側補強部材４４、第１側面４２ｆ、を貫通し、第１外側補強部材４５ａに形成されたネジ穴４５ｃに螺合するボルトＢによって固定される。また、この第１,第２外側補強部材４５ａ,４５ｂの側面には、図示しないが、内側補強部材４４を固定するためのボルト（不図示）との干渉を防止する凹部が適宜形成されている。さらに、この第１,第２外側補強部材４５ａ,４５ｂは、図３Ｂに示すように、ベース部４１に支柱本体部４２を固定するボルトＢ（図９参照）と干渉しない領域に設けられている。
【００４０】
前記化粧材４６は、図３Ｂに示すように、第１化粧板４６ａと、第２化粧板４６ｂと、第１補助板４６ｃと、第２補助板４６ｄと、第３補助板４６ｅと、第４補助板４６ｆと、を有している。
【００４１】
ここで、第１化粧板４６ａは、幅方向両側部が屈曲された長尺の薄板材であり、図９〜図１２に示すように、支柱本体部４２の第１係止爪４２ｂ,４２ｂと係合する一対の第１被係止部４６ｇ,４６ｇが内側面４６ａ´に形成されている。この第１化粧板４６ａは、第１被係止部４６ｇ,４６ｇと第１係止爪４２ｂ,４２ｂが係合することで、支柱本体部４２の第１側面４２ｆの全面を覆う。
また、第２化粧板４６ｂは、幅方向両端部が屈曲された長尺の薄板材であり、図９〜図１２に示すように、支柱本体部４２の第２係止爪４２ｃ,４２ｃと係合する一対の第２被係止部４６ｈ,４６ｈが内側面４６ｂ´に形成されている。この第２化粧板４６ｂは、第２被係止部４６ｈ,４６ｈと第２係止爪４２ｃ,４２ｃが係合することで、支柱本体部４２の第２側面４２ｇの全面を覆う。
【００４２】
一方、第１補助板４６ｃは、幅方向両端部が屈曲された長尺の薄板材であり、図９及び図１０に示すように、支柱本体部４２のフランジ４２ｄにねじ止めされる。この第１補助板４６ｃは、図３Ｂに示すように、支柱本体部４２の第３側面４２ｈのうち、支柱本体部４２の下端から下側パネル部６３の下縁固定位置（第７金具８７の取付位置）までの領域を覆う。
また、第２補助板４６ｄは、幅方向両端部が屈曲された長尺の薄板材であり、図示しないが、支柱本体部４２のフランジ４２ｄにねじ止めされる。この第２補助板４６ｄは、図３Ｂに示すように、支柱本体部４２の第３側面４２ｈのうち、下側パネル部６３の上縁固定位置（第８金具８８の取付位置）と上側パネル部６４の下縁固定位置（第９金具８９の取付位置）の間の領域を覆う。
また、第３補助板４６ｅは、幅方向両端部が屈曲された長尺の薄板材であり、図９及び図１０に示すように、支柱本体部４２のフランジ４２ｅにねじ止めされる。この第３補助板４６ｅは、図３Ｂに示すように、支柱本体部４２の第４側面４２ｊのうち、支柱本体部４２の下端からガラスパネル６６の下縁固定位置（第１０金具９０の取付位置）までの領域を覆う。
また、第４補助板４６ｆは、幅方向両端部が屈曲された長尺の薄板材であり、図示しないが、支柱本体部４２のフランジ４２ｅにねじ止めされる。この第４補助板４６ｆは、図３Ｂに示すように、支柱本体部４２の第４側面４２ｊのうち、ガラスパネル６６の上縁固定位置（第１１金具９１の取付位置）から支柱本体部４２の上端までの領域を覆う。
【００４３】
前記後側支柱５０は、図３Ｃに示すように、ベース部５１と、支柱本体部５２と、内側補強部材５４と、外側補強部材５５と、化粧材５６と、を有している。
【００４４】
前記ベース部５１は、下階２の床面２ａに図示しないボルトによって固定される平板状のベースプレート５１ａと、このベースプレート５１ａから立設した突出部５１ｂと、を有している。ここで、突出部５１ｂは、断面コ字状のチャンネル鋼（溝形鋼）から形成され、ウエブ５１ｃが階段１０の上り口１０ａに向いた状態で、ベースプレート５１ａに溶着固定されている。
【００４５】
前記支柱本体部５２は、両端が開放したアルミニウム製の中空の矩形管により形成され、外側支柱部となっている。この支柱本体部５２は、下端部が、突出部５１ｂが差し込まれる差込部５２ａになっており、この差込部５２ａに突出部５１ｂが差し込まれ、ボルトＢにより固定されている（図１３参照）。また、図１３〜図１５に示すように、この支柱本体部５２の側面には、一対の第１係止爪５２ｂ,５２ｂと、一対の第２係止爪５２ｃ,５２ｃと、フランジ５２ｄと、化粧凸面５２ｅと、が形成されている。
ここで、一対の第１係止爪５２ｂ,５２ｂは、下側階段部１１に対向した第１側面５２ｆから、下側階段部１１に向かって突出形成されている。また、一対の第２係止爪５２ｃ,５２ｃは、上側階段部１２に対向した第２側面５２ｇから、上側階段部１２に向かって突出形成されている。そして、フランジ５２ｄは、階段１０の上り口１０ａ側に向いた第３側面５２ｈから上り口１０ａに向かって突出形成され、化粧凸面５２ｅは、踊り場１３に向いた第４側面５２ｊに形成されている。
【００４６】
さらに、この支柱本体部５２の第３側面５２ｈには、ガラスパネル６６の枠体Ｗ６６の下部を支持する第１３金具９３（下側支持金具）が設けられている。また、この支柱本体部５２の上端には、ガラスパネル６６の枠体Ｗ６６の上部を支持する第１４金具９４（上側支持金具）が設けられている。
ここで、第１３金具９３は、第３側面５２ｈにビス止めされる取付片９３ａと、この取付片９３ａの上端部をクランク状に折り曲げて形成され、上方に向かって突出した上向き爪部９３ｂと、を有している。また、第１４金具９４は、支柱本体部５２の上端を覆う上面部９４ａと、上面部９４ａの周端縁の一部を下方に屈曲することで形成され、第１側面５２ｆにビス止めされる取付片９４ｂと、上面部９４ａの周端縁の一部を下方に屈曲することで形成され、下方に向かって突出した下向き爪部９４ｃと、を有している。
【００４７】
前記内側補強部材５４は、両端が開放した鉄製の一対の中空矩形管により構成され、支柱本体部５２の内部に収容されている。この内側補強部材５４は、内部にナットを溶接した薄板部材を滑り込ませ、予め内側補強部材５４及び支柱本体部５２に設けられた孔に対して、この薄板部材を合わせる。そして、この孔に合わせてビス固定することで、適宜の位置が支柱本体部５２に固定されている。
なお、この内側補強部材５４の下端部は、ベース部５１の突出部５１ｂの先端と干渉する。
【００４８】
前記外側補強部材５５は、図３Ｃに示すように、長尺鉄製の平板鋼板によって形成され、第１外側補強部材５５ａと、第２外側補強部材５５ｂと、を有している。
ここで、第１外側補強部材５５ａは、図１５に示すように、一対の第１係止爪５２ｂ,５２ｂの間に配置されると共に、支柱本体部５２の第１側面５２ｆに固定されている。また、第２外側補強部材５５ｂは、図１５に示すように、一対の第２係止爪５２ｃ,５２ｃの間に配置されると共に、支柱本体部５２の第２側面５２ｇに固定されている。
なお、第１外側補強部材５５ａ及び第２外側補強部材５５ｂは、図１５に示すように、第２外側補強部材５５ｂ、第２側面５２ｇ、内側補強部材５４、第１側面５２ｆ、を貫通し、第１外側補強部材５５ａに形成されたネジ穴５５ｃに螺合するボルトＢによって固定される。また、この第１,第２外側補強部材５５ａ,５５ｂの側面には、図示しないが、内側補強部材５４を固定するためのボルト（不図示）との干渉を防止する凹部が適宜形成されている。さらに、この第１,第２外側補強部材５５ａ,５５ｂは、図３Ｃに示すように、ガラスパネル６６の下縁固定位置（第１３金具９３の取付位置）から支柱本体部５２の上端までの領域に設けられている。
【００４９】
前記化粧材５６は、図３Ｃに示すように、第１化粧板５６ａと、第２化粧板５６ｂと、第１補助板５６ｃと、を有している。
【００５０】
ここで、第１化粧板５６ａは、幅方向両側部が屈曲された長尺の薄板材であり、図１３〜図１５に示すように、支柱本体部５２の第１係止爪５２ｂ,５２ｂと係合する一対の第１被係止部５６ｄ,５６ｄが内側面５６ａ´に形成されている。この第１化粧板５６ａは、第１被係止部５６ｄ,５６ｄと第１係止爪５２ｂ,５２ｂが係合することで、支柱本体部５２の第１側面５２ｆの全面を覆う。
また、第２化粧板５６ｂは、幅方向両端部が屈曲された長尺の薄板材であり、図１３〜図１５に示すように、支柱本体部５２の第２係止爪５２ｃ,５２ｃと係合する一対の第２被係止部５６ｅ,５６ｅが内側面５６ｂ´に形成されている。この第２化粧板５６ｂは、第２被係止部５６ｅ,５６ｅと第２係止爪５２ｃ,５２ｃが係合することで、支柱本体部５２の第２側面５２ｇの全面を覆う。
【００５１】
一方、第１補助板５６ｃは、幅方向両端部が屈曲された長尺の薄板材であり、図１３及び図１４に示すように、支柱本体部５２のフランジ５２ｄにねじ止めされる。この第１補助板５６ｃは、図３Ｃに示すように、支柱本体部５２の第３側面５２ｈのうち、支柱本体部５２の下端からガラスパネル６６の下縁固定位置（第１３金具９３の取付位置）までの領域を覆う。
【００５２】
［壁面パネルの詳細構成］
図１６は、実施例１の階段の仕切り構造が備える壁面パネルを示す分解斜視図である。また、図１７〜図２２は、実施例１の各パネル部の支持構造を適宜示す斜視図である。以下、図２Ａ,図２Ｂ,図１６〜図２２に基づき、実施例１の壁面の詳細構成を説明する。
【００５３】
実施例１の壁面パネル６０は、図２Ａに示すように、複数の支柱のうちの前側支柱３０と中央支柱４０の間に設けられた第１壁面６１と、複数の支柱のうちの中央支柱４０と後側支柱５０の間に設けられた第２壁面６２と、を備えている。
前記第１壁面６１は、下側パネル部６３と、上側パネル部６４と、開放部６５と、によって構成されている。前記第２壁面６２は、ガラスパネル６６によって構成されている。
【００５４】
ここで、下側パネル部６３、上側パネル部６４、ガラスパネル６６は、いずれも矩形状の板ガラスＧの周縁に、グレイジングチャンネルＰを介して枠体を外嵌することで形成されている。また、枠体の四隅のうちの下側の２か所には、下方に開放する下部開口αがそれぞれ形成されている。また、枠体の四隅のうちの上側２か所には、上方に開放する上部開口βがそれぞれ形成されている。
なお、以下では、下側パネル部６３の枠体を「枠体Ｗ６３」と表記し、上側パネル部６４の枠体を「枠体Ｗ６４」と表記し、ガラスパネル６６の枠体を「枠体Ｗ６６」と表記する。
【００５５】
前記下側パネル部６３は、図５及び図１１に示すように、枠体Ｗ６３が前側支柱３０の下側支柱本体部３２のフランジ３２ｅと、中央支柱４０の支柱本体部４２のフランジ４２ｄと、にビス止めされる。また、この枠体Ｗ６３に形成された下部開口αのうちの一方に、第１金具８１の上向き爪部８１ｂが差し込まれ（図１７参照）、他方の下部開口αに、第７金具８７の上向き爪部８７ｂが差し込まれる（不図示）。さらに、この枠体Ｗ６３に形成された上部開口βのうちの一方に、第２金具８２の下向き爪部８２ｂが差し込まれ（不図示）、他方の上部開口βに第８金具８８の下向き爪部８８ｂが差し込まれる（図１８参照）。
これにより、枠体Ｗ６３は、前側支柱３０の下側支柱本体部３２及び中央支柱４０の支柱本体部４２に取り付けられると共に、下側が、第１金具８１及び第７金具８７によって支持され、上側が、第２金具８２及び第８金具８８によって支持される。
【００５６】
さらに、この下側パネル部６３は、枠体Ｗ６３の上端縁６３ａ及び下端縁６３ｂが、いずれも下側階段部１１の勾配に沿って傾斜している。そして、図２Ｂに示すように、枠体Ｗ６３の上端縁６３ａは、上側階段部１２の側桁１２ａよりも低い位置に設定され、下端縁６３ｂは、下側階段部１１の側桁１１ａの側方位置に設定されている。
【００５７】
前記上側パネル部６４は、図７及び図１２に示すように、枠体Ｗ６４が前側支柱３０の上側支柱本体部３３のフランジ３３ｄと、中央支柱４０の支柱本体部４２のフランジ４２ｄと、にビス止めされる。また、この枠体Ｗ６４に形成された下部開口αのうちの一方に、第３金具８３の上向き爪部８３ｂが差し込まれ（図１９参照）、他方の下部開口αに、第９金具８９の上向き爪部８９ｂが差し込まれる（図１８参照）。さらに、この枠体Ｗ６４に形成された上部開口βのうちの一方に、第４金具８４の下向き爪部８４ｂが差し込まれ（図２０参照）、他方の上部開口βに第１２金具９２の下向き爪部９２ｃが差し込まれる（図２１参照）。
これにより、枠体Ｗ６４は、前側支柱３０の上側支柱本体部３３及び中央支柱４０の支柱本体部４２に取り付けられると共に、下側が、第３金具８３及び第９金具８９によって支持され、上側が、第４金具８４及び第１２金具９２によって支持される。
【００５８】
さらに、この上側パネル部６４は、枠体Ｗ６４の上端縁６４ａ及び下端縁６４ｂが、いずれも上側階段部１２の勾配に沿って傾斜している。そして、図２Ｂに示すように、枠体Ｗ６４の上端縁６４ａは、上側階段部１２の側桁１２ａから所定の高さに設定され、下端縁６４ｂは、上側階段部１２の踏板１２ｂの側方位置に設定されている。これにより、この上側パネル部６４の下端縁６４ｂは、下側パネル部６３の上端縁６３ａよりも高い位置に設定される。
【００５９】
前記開放部６５は、下側パネル部６３の枠体Ｗ６３の上端縁６３ａと、上側パネル部６４の枠体Ｗ６４の下端縁６４ｂとの間に設けられた開放空間であり、下側パネル部６３の上端縁６３ａと、前側支柱３０と、上側パネル部６４の下端縁６４ｂと、中央支柱４０とによって区画されている。
【００６０】
前記ガラスパネル６６は、図１１,図１２及び図１５に示すように、枠体Ｗ６６が中央支柱４０の支柱本体部４２のフランジ４２ｅと、後側支柱５０の支柱本体部５２のフランジ５２ｄと、にビス止めされる。また、この枠体Ｗ６６に形成された下部開口αのうちの一方に、第１０金具９０の上向き爪部９０ｂが差し込まれ（不図示）、他方の下部開口αに、第１３金具９３の上向き爪部９３ｂが差し込まれる（不図示）。さらに、この枠体Ｗ６６に形成された上部開口βのうちの一方に、第１１金具９１の下向き爪部９１ｂが差し込まれ（図２１参照）、他方の上部開口βに第１４金具９４の下向き爪部９４ｃが差し込まれる（図２２参照）。
これにより、枠体Ｗ６６は、中央支柱４０の支柱本体部４２及び後側支柱５０の支柱本体部５２に取り付けられると共に、下側が、第１０金具９０及び第１３金具９３によって支持され、上側が、第１１金具９１及び第１４金具９４によって支持される。
【００６１】
さらに、このガラスパネル６６は、枠体Ｗ６６の上端縁６６ａが上側階段部１２の勾配に沿って傾斜し、下端縁６６ｂが下側階段部１１の勾配に沿って傾斜している。そして、図２Ｂに示すように、枠体Ｗ６６の上端縁６６ａは、上側階段部１２の側桁１２ａから所定の高さに設定され、上側パネル部６４の枠体Ｗ６４の上端縁６４ａと連続している。また、枠体Ｗ６６の下端縁６６ｂは、下側階段部１１の踏板１１ｂの側方位置に設定され、下側パネル部６３の枠体Ｗ６３の下端縁６３ｂと連続している。
【００６２】
［手摺りの詳細構成］
図２３は、実施例１の階段の仕切り構造が備える手摺りを示す分解斜視図である。以下、図２Ａ及び図２３に基づき、実施例１の手摺りの詳細構成を説明する。
【００６３】
実施例１の手摺り７０は、図２Ａに示すように、下側手摺り部７１と、上側手摺り部７２と、を備えている。
【００６４】
前記下側手摺り部７１は、図２３に示すように、複数の支柱（前側支柱３０、中央支柱４０、後側支柱５０）のそれぞれに取り付けられた複数（ここでは３つ）の自在アーム７１ａと、複数の自在アーム７１ａの間に架け渡された手摺り本体７１ｂと、を有している。
ここで、複数の自在アーム７１ａは、それぞれ前側支柱３０の下側支柱本体部３２の第１側面３２ｆ、中央支柱４０の支柱本体部４２の第１側面４２ｆ、後側支柱５０の支柱本体部５２の第１側面５２ｆにビス止めされている。また、複数の自在アーム７１ａの取り付け位置は、階段１０の上り口１０ａ側（図１参照）から踊り場１３に向かって次第に高くなっており、手摺り本体７１ｂの軸方向が、下側階段部１１の勾配に合った傾斜状態にされている。
【００６５】
なお、各自在アーム７１ａを固定するためのビス（不図示）は、第１化粧板３６ａ、第１化粧板４６ａ、第１化粧板５６ａをそれぞれ貫通する。また、手摺り本体７１ｂは、中空の丸パイプによって形成され、両端部には、それぞれ端部を閉塞するキャップ７１ｃ,７１ｃが取り付けられている。
【００６６】
前記上側手摺り部７２は、図２３に示すように、複数の支柱（前側支柱３０、中央支柱４０、後側支柱５０）のそれぞれに取り付けられた複数（ここでは３つ）の自在アーム７２ａと、複数の自在アーム７２ａの間に架け渡された手摺り本体７２ｂと、を有している。
ここで、複数の自在アーム７２ａは、それぞれ前側支柱３０の上側支柱本体部３３の第２側面３３ｇ、中央支柱４０の支柱本体部４２の第２側面４２ｇ、後側支柱５０の支柱本体部５２の第２側面５２ｇにビス止めされている。また、複数の自在アーム７２ａの取り付け位置は、踊り場１３から階段１０の降り口１０ｂ側（図１参照）に向かって次第に高くなっており、手摺り本体７２ｂの軸方向が、上側階段部１２の勾配に合った傾斜状態にされている。
【００６７】
なお、各自在アーム７２ａを固定するためのビス（不図示）は、第３化粧板３６ｃ、第２化粧板４６ｂ、第２化粧板５６ｂをそれぞれ貫通する。また、手摺り本体７２ｂは、中空の丸パイプによって形成され、両端部には、それぞれ端部を閉塞するキャップ７２ｃ,７２ｃが取り付けられている。
【００６８】
［上階腰壁の詳細構成］
図２４は、実施例１の階段の仕切り構造に設けられる上階腰壁の分解斜視図である。以下、図１及び図２４〜図２８等に基づいて、実施例１の上階腰壁の詳細構成を説明する。
【００６９】
実施例１の上階腰壁１００は、図１に示すように、下側階段部１１の上方に設置され、上階３の床面３ａと階段１０によって形成された吹抜け空間とを区画する。
この上階腰壁１００は、腰壁支柱１０１と、腰壁パネル部１０２と、を有している。
【００７０】
前記腰壁支柱１０１は、両端が開放したアルミニウム製の中空の矩形管により形成され、外側支柱部となっている、この腰壁支柱１０１は、下端部が固定金具１０３を介して、上階３を形成する梁材１ａに固定されている。また、図２５に示すように、この腰壁支柱１０１の側面には、化粧面１０１ａと、フランジ１０１ｂと、一対の第１係止爪１０１ｃ,１０１ｃと、一対の第２係止爪１０１ｄ,１０１と、が形成されている。
ここで、フランジ１０１ｂは、上側階段部１２側に向いた第２側面１０１ｇから、前側支柱３０に向かって突出形成されている。そして、一対の第１係止爪１０１ｃ,１０１ｃは、上階３側に向いた第３側面１０１ｈから突出し、一対の第２係止爪１０１ｄ,１０１ｄは、踊り場１３側に向いた第４側面１０１ｊから突出している。
【００７１】
さらに、この腰壁支柱１０１の第２側面１０１ｇには、腰壁パネル部１０２の枠体Ｗ１０２の下部を支持する第１５金具９５（下側支持金具）が設けられている。また、この腰壁支柱１０１の上端には、腰壁パネル部１０２の枠体Ｗ１０２の上部を支持する第１６金具９６（上側支持金具）が設けられている。
ここで、第１５金具９５は、第２側面１０１ｇにビス止めされる取付片９５ａと、この取付片９５ａの上端部をクランク状に折り曲げて形成され、上方に向かって突出した上向き爪部９５ｂと、を有している。また、第１６金具９６は、腰壁支柱１０１の上端を覆う上面部９６ａと、上面部９６ａの周端縁の一部を下方に屈曲することで形成され、第３側面１０１ｈにビス止めされる取付片９６ｂと、上面部９６ａの周端縁の一部を下方に屈曲することで形成され、下方に向かって突出した下向き爪部９６ｃと、を有している。
【００７２】
また、この腰壁支柱１０１の内部には、図２５に示すように、内側補強部材１０４が収容されている。さらに、この腰壁支柱１０１の第３側面１０１ｈ及び第４側面１０１ｊは、いずれも化粧材１０５によって覆われている。
なお、化粧材１０５は、幅方向両側部が屈曲された長尺の薄板材であり、図２５に示すように、腰壁支柱１０１の第１係止爪１０１ｃ,１０１ｃ又は第２係止爪１０１ｄ,１０１ｄと係合する一対の被係止部１０５ａ,１０５ａが内側面１０５ａ´に形成されている。この化粧材１０５は、被係止部１０５ａ,１０５ａが第１係止爪１０１ｃ,１０１ｃ又は第２係止爪１０１ｄ,１０１ｄと係合することで、腰壁支柱１０１の第３側面１０１ｈ或いは第４側面１０１ｊの全面を覆う。
【００７３】
前記腰壁パネル部１０２は、図２４に示すように、前側支柱３０と腰壁支柱１０１の間に設けられている。この腰壁パネル部１０２は、矩形状の板ガラスＧの周縁に、グレイジングチャンネルＰ（図２５等参照）を介して枠体Ｗ１０２を外嵌することで形成されている。また、枠体Ｗ１０２の四隅のうちの下側の２か所には、下方に開放する下部開口αがそれぞれ形成されている。また、枠体Ｗ１０２の四隅のうちの上側２か所には、上方に開放する上部開口βがそれぞれ形成されている。
【００７４】
そして、枠体Ｗ１０２は、図７及び図２５に示すように、腰壁支柱１０１のフランジ１０１ｂと、前側支柱３０の上側支柱本体部３３のフランジ３３ａと、にビス止めされる。また、この枠体Ｗ１０２に形成された下部開口αのうちの一方に、第１５金具９５の上向き爪部９５ｂが差し込まれ（不図示）、他方の下部開口αに、第５金具８５の上向き爪部８５ｂが差し込まれる（図２６参照）。さらに、この枠体Ｗ１０２に形成された上部開口βのうちの一方に、第１６金具９６の下向き爪部９６ｃが差し込まれ（図２７参照）、他方の上部開口βに第６金具８６の下向き爪部８６ｃが差し込まれる（図２８参照）。
これにより、枠体Ｗ１０２は、腰壁支柱１０１及び前側支柱３０の上側支柱本体部３３に取り付けられると共に、下側が、第１５金具９５及び第５金具８５によって支持され、上側が、第１６金具９６及び第６金具８６によって支持される。
【００７５】
なお、ここでは、腰壁パネル部１０２の枠体Ｗ１０２が取り付けられる上側支柱本体部３３は、図２４に示すように、固定金具１０６を介して、上階３を形成する梁材１ａに固定されている。
【００７６】
次に、実施例１の階段の仕切り構造における作用を、「開放感付与作用」、「階段幅縮小抑制作用」、「その他の特徴的作用」に分けて説明する。
【００７７】
[開放感付与作用]
実施例１の階段の仕切り構造２０では、図２Ａ,図２Ｂ等に示すように、下階２の床面２ａから立設し、下側階段部１１と上側階段部１２との間に起立した複数の支柱（前側支柱３０、中央支柱４０、後側支柱５０）と、この複数の支柱（前側支柱３０、中央支柱４０、後側支柱５０）間に設けられた壁面パネル６０と、を備えている。
【００７８】
そして、この壁面パネル６０は、上端縁６３ａが下側階段部１１の勾配に沿って傾斜すると共に、この上端縁６３ａが上側階段部１２の側桁１２ａよりも低い位置に設定された下側パネル部６３と、上端縁６４ａ及び下端縁６４ｂが上側階段部１２の勾配に沿って傾斜すると共に、この下端縁６４ｂが下側パネル部６３の上端縁６３ａよりも高い位置に設定された上側パネル部６４と、下側パネル部６３の上端縁６３ａと上側パネル部６４の下端縁６４ｂとの間に設けられた開放部６５と、を有している。
【００７９】
これにより、下側階段部１１の側方位置には、下側パネル部６３と開放部６５とが設けられることになり、下側階段部１１と上側階段部１２の間が閉鎖されることがなく、開放部６５を介して通気性や採光を確保することができる。このため、下側階段部１１と上側階段部１２の間に壁面パネル６０を設置して区画しても、閉塞感や圧迫感を低減し、開放感を感じさせることができる。
【００８０】
［階段幅縮小抑制作用］
実施例１の階段の仕切り構造２０では、上述のように、下階２の床面２ａから立設し、下側階段部１１と上側階段部１２との間に起立した複数の支柱（前側支柱３０、中央支柱４０、後側支柱５０）間に壁面パネル６０を設けている。ここで、上端縁６３ａが下側階段部１１の勾配に沿って傾斜した下側パネル部６３と、上端縁６４ａ及び下端縁６４ｂが上側階段部１２の勾配に沿って傾斜した上側パネル部６４とは、いずれも複数の支柱（前側支柱３０、中央支柱４０、後側支柱５０）に設けられている。
そのため、この二つのパネル部（下側パネル部６３、上側パネル部６４）を支持する構造を共通化することができ、部品点数の削減を図ることができる。
【００８１】
また、この二つのパネル部（下側パネル部６３、上側パネル部６４）が、階段１０の幅方向に位置ずれすることがなくなり、上下方向に重複した状態となる。これにより、階段１０の有効階段幅が縮小してしまうことを防止することができる。
【００８２】
さらに、この実施例１では、壁面パネル６０が設けられた複数の支柱（前側支柱３０、中央支柱４０、後側支柱５０）によって、下側手摺り部７１と、上側手摺り部７２とが支持されている。
なお、ここで、下側手摺り部７１は、下側階段部１１の勾配に合った傾斜状態となっている。また、上側手摺り部７２は、上側階段部１２の勾配に合った傾斜状態となっている。
【００８３】
すなわち、下側手摺り部７１及び上側手摺り部７２が、いずれも下側階段部１１と上側階段部１２との間に起立した複数の支柱（前側支柱３０、中央支柱４０、後側支柱５０）に支持されている。このため、下側手摺り部７１を支持する構造と、上側手摺り部７２を支持する構造とを共通化することができ、例えば、手摺り７０を支持する構造が階段に沿って折り返す場合と比べて、有効階段幅が縮小することを防止できる。また、下側手摺り部７１を支持する構造と、上側手摺り部７２を支持する構造とを共通化したことで、部品点数の低減を図ることができる。
【００８４】
［支柱強度向上作用］
実施例１の階段の仕切り構造２０では、前側支柱３０、中央支柱４０、後側支柱５０、及び腰壁支柱１０１が、いずれも中空の矩形管により形成されて外側支柱部となる支柱本体部（下側支柱本体部３２、上側支柱本体部３３、支柱本体部４２、支柱本体部５２、腰壁支柱１０１）を有している。そして、各支柱本体部（下側支柱本体部３２、上側支柱本体部３３、支柱本体部４２、支柱本体部５２、腰壁支柱１０１）には、それぞれ内側補強部材３４,４４,５４,１０４が収容されている。
【００８５】
ここで、各支柱本体部（下側支柱本体部３２、上側支柱本体部３３、支柱本体部４２、支柱本体部５２、腰壁支柱１０１）だけで必要な強度を確保するためには、断面積が大きくなりすぎてしまい、意匠性が悪化すると共に、階段１０の有効階段幅も狭めることになる。
【００８６】
これに対し、上述のように、外側支柱部となるアルミニウム製の支柱本体部（下側支柱本体部３２、上側支柱本体部３３、支柱本体部４２、支柱本体部５２、腰壁支柱１０１）に、鉄製の内側補強部材３４,４４,５４,１０４を収容したことで、支柱本体部（下側支柱本体部３２、上側支柱本体部３３、支柱本体部４２、支柱本体部５２、腰壁支柱１０１）の断面積が大きくなることを防止しつつ、支柱強度（支柱剛性）の向上を図ることができる。
【００８７】
しかも、この実施例１では、支柱本体部（下側支柱本体部３２、上側支柱本体部３３、支柱本体部４２、支柱本体部５２）の側面に、鉄製の外側補強部材３５,４５,５５を設けている。そのため、さらに支柱本体部（下側支柱本体部３２、上側支柱本体部３３、支柱本体部４２、支柱本体部５２）の強度を向上することができる。
【００８８】
なお、この実施例１では、外側補強部材３５,４５,５５が、第１化粧板３６ａ等を支持する一対の第１係止爪３２ｂ,３２ｂの間に配置された第１外側補強部材３５ａと、第２化粧板３６ｂ等を支持する一対の第２係止爪３２ｃ,３２ｃの間に配置された第２外側補強部材３５ｂ等を有している。
そのため、外側補強部材３５,４５,５５と第１係止爪３２ｂ,３２ｂ等や第２係止爪３２ｃ,３２ｃ等との干渉を防止し、支柱強度の向上を図りつつ、支柱本体部（下側支柱本体部３２等）の断面積の増大を抑制することができる。
【００８９】
［施工性向上作用］
実施例１の階段の仕切り構造では、複数の支柱（前側支柱３０、中央支柱４０、後側支柱５０）が、それぞれ下階２の床面２ａに固定されたベースプレート３１ａ,４１ａ,５１ａから立設した突出部３１ｂ,４１ｂ,５１ｂと、突出部３１ｂ,４１ｂ,５１ｂが挿入される差込部３２ａ,４２ａ,５２ａが下端に形成されていると共に、下側パネル部６３及び上側パネル部６４を支持する支柱本体部（下側支柱本体部３２、上側支柱本体部３３、支柱本体部４２、支柱本体部５２）と、を有している。
【００９０】
つまり、各支柱（前側支柱３０、中央支柱４０、後側支柱５０）は、いずれも、床面２ａに固定された部分と、下側パネル部６３及び上側パネル部６４を支持する部分とが別部品で構成されている。そのため、長尺な支柱を直接床面２ａに設置する場合と比べて、施工性を向上し、支柱の傾きや位置ずれを防止することができる。
【００９１】
また、この実施例１では、複数の支柱（前側支柱３０、中央支柱４０、後側支柱５０）は、いずれも下側階段部１１に対向した第１側面３２ｆ,４２ｆ,５２ｆから下側階段部１１に向かって突出した第１係止爪３２ｂ,４２ｂ,５２ｂと、上側階段部１２に対向した第２側面３２ｇ,４２ｇ,５２ｇから上側階段部１２に向かって突出した第２係止爪３２ｃ,４２ｃ,５２ｃと、を有している。
そして、第１側面３２ｆ,４２ｆ,５２ｆには、それぞれ第１係止爪３２ｂ,４２ｂ,５２ｂに係合する第１被係止部３６ｈ,４６ｇ,５６ｄが内側面３６ａ´,４６ａ´,５６ａ´に形成された第１化粧板３６ａ,４６ａ,５６ａが取り付けられている。さらに、第２側面３２ｇ,４２ｇ,５２ｇには、それぞれ第２係止爪３２ｃ,４２ｃ,５２ｃに係合する第２被係止部３６ｊ,４６ｈ,５６ｅが内側面３６ｂ´,４６ｂ´,５６ｂ´に形成された第２化粧板３６ｂ,４６ｂ,５６ｂが取り付けられている。
【００９２】
そのため、第１化粧板３６ａ,４６ａ,５６ａや、第２化粧板３６ｂ,４６ｂ,５６ｂを取り付ける際には、第１係止爪３２ｂ,４２ｂ,５２ｂに第１被係止部３６ｈ,４６ｇ,５６ｄを係合させたり、第２係止爪３２ｃ,４２ｃ,５２ｃに第２被係止部３６ｊ,４６ｈ,５６ｅを係合させたりすればよく、ビス等の部品を使用することなく簡単に第１,第２化粧板３６ａ,４６ａ,５６ａ,３６ｂ,４６ｂ,５６ｂを取り付けることができる。すなわち、化粧材３６,４６,５６の取り付け施工性の向上を図ることができる。
【００９３】
また、第１係止爪３２ｂ,４２ｂ,５２ｂと第１被係止部３６ｈ,４６ｇ,５６ｄとが係合することで、第１化粧板３６ａ,４６ａ,５６ａの位置決めができ、施工性の向上を図ることができる。
なお、第２係止爪３２ｃ,４２ｃ,５２ｃと第２被係止部３６ｊ,４６ｈ,５６ｅとが係合すれば、第２化粧板３６ｂ,４６ｂ,５６ｂの位置決めもできる。
【００９４】
［その他の特徴的作用］
実施例１の階段の仕切り構造２０では、壁面パネル６０を構成する下側パネル部６３は、支柱（前側支柱３０,中央支柱４０）に設けられた下側支持金具（第１金具８１、第７金具８７）によって支持されている。ここで、下側支持金具である第１金具８１、第７金具８７は、いずれも上方に向かって突出し、下側パネル部６３の枠体Ｗ６３に形成されて下方に開放した下部開口αに差し込まれる上向き爪部８１ｂ,８７ｂを有している。
また、壁面パネル６０を構成する上側パネル部６４は、支柱（前側支柱３０,中央支柱４０）に設けられた下側支持金具（第３金具８３、第９金具８９）によって支持されている。
そして、下側支持金具である第３金具８３、第９金具８９は、いずれも上方に向かって突出し、上側パネル部６４の枠体Ｗ６４に形成されて下方に開放した下部開口αに差し込まれる上向き爪部８３ｂ,８９ｂを有している。
【００９５】
これにより、下側パネル部６３及び上側パネル部６４は、いずれも支柱（前側支柱３０,中央支柱４０）に対してビスの剪断力だけで支持されることがなく、下側支持金具（第１金具８１等）によって、下方からも支持される。この結果、下側パネル部６３及び上側パネル部６４の支持強度の向上を図ることができる。
【００９６】
すなわち、下側パネル部６３及び上側パネル部６４は、それぞれ支柱（前側支柱３０,中央支柱４０）のフランジ３２ｅ、４２ｄ、３３ｄ、４２ｄにビス止めされている。ここで、下側支持金具（第１金具８１等）の上向き爪部８１ｂ等を、下部開口αに差し込むことで、ビスによる支持（ビスの剪断力）に加え、下側支持金具（第１金具８１等）による下方からの支持力によっても下側パネル部６３及び上側パネル部６４を支持することができる。
これにより、下側パネル部６３及び上側パネル部６４の支持強度の向上を図ることができる。
【００９７】
なお、この実施例１では、第２壁面６２を構成するガラスパネル６６や、上階腰壁１００の腰壁パネル部１０２も、上向き爪部９０ｂ等を有する下側支持金具（第１０金具９０等）によって枠体Ｗ６６,Ｗ１０２の下部が支持されている。
これにより、ビスの剪断力だけで支持された場合よりも、ガラスパネル６６や腰壁パネル部１０２の支持強度の向上を図ることができる。
【００９８】
さらに、実施例１の階段の仕切り構造２０では、壁面パネル６０を構成する下側パネル部６３は、支柱（前側支柱３０,中央支柱４０）に設けられた上側支持金具（第２金具８２、第８金具８８）によって支持されている。ここで、上側支持金具である第２金具８２、第８金具８８は、いずれも下方に向かって突出し、下側パネル部６３の枠体Ｗ６３に形成されて上方に開放した上部開口βに差し込まれる下向き爪部８２ｂ,８８ｂを有している。
また、壁面パネル６０を構成する上側パネル部６４は、支柱（前側支柱３０,中央支柱４０）に設けられた上側支持金具（第４金具８４、第１２金具９２）によって支持されている。
そして、上側支持金具である第４金具８４、第１２金具９２は、いずれも下方に向かって突出し、上側パネル部６４の枠体Ｗ６４に形成されて上方に開放した上部開口βに差し込まれる下向き爪部８４ｂ,９２ｃを有している。
【００９９】
これにより、下側パネル部６３及び上側パネル部６４は、いずれも支柱（前側支柱３０,中央支柱４０）からの脱落を、上側支持金具（第２金具８２等）の下向き爪部８２ｂが枠体Ｗ６３等に干渉することで防止することができる。
これにより、下側パネル部６３及び上側パネル部６４の落下を防止することができる。
【０１００】
なお、この実施例１では、第２壁面６２を構成するガラスパネル６６や、上階腰壁１００の腰壁パネル部１０２も、下向き爪部９１ｂ等を有する上側支持金具（第１１金具９１等）によって枠体Ｗ６６,Ｗ１０２の上部が支持されている。
これにより、ビスの剪断力だけで支持された場合よりも、ガラスパネル６６や腰壁パネル部１０２の落下を防止することができる。
【０１０１】
次に、効果を説明する。
実施例１の階段の仕切り構造及び建物にあっては、下記に列挙する効果を得ることができる。
【０１０２】
(1) 平行に配置されると共に、それぞれの昇降方向が逆向きに設定された下側階段部１１と上側階段部１２とを有し、建物（建物ユニット１）の下階２と上階３とを連絡する階段１０の仕切り構造２０であって、
前記下階２の床面２ａから立設し、前記下側階段部１１と前記上側階段部１２との間に起立した複数の支柱（前側支柱３０,中央支柱４０）と、前記複数の支柱（前側支柱３０,中央支柱４０）間に設けられた壁面パネル６０（第１壁面６１）と、を備え、
前記壁面パネル６０（第１壁面６１）は、上端縁６３ａが前記下側階段部１１の勾配に沿って傾斜すると共に、この上端縁６３ａが前記上側階段部１２の側桁１２ａよりも低い位置に設定された下側パネル部６３と、下端縁６４ｂが前記上側階段部１２の勾配に沿って傾斜すると共に、この下端縁６４ｂが前記下側パネル部６３の上端縁６３ａよりも高い位置に設定された上側パネル部６４と、前記下側パネル部６３の上端縁６３ａと前記上側パネル部６４の下端縁６４ｂとの間に設けられた開放部６５と、を有する構成とした。
これにより、平行に配置されると共に、昇降方向が逆向きに設定された下側階段部１１と上側階段部１２の間に壁面パネル６０を設置した際、閉塞感や圧迫感を低減して、開放感を感じさせることができる。
【０１０３】
(2) 前記下側階段部１１の勾配に合った傾斜状態で、前記複数の支柱（前側支柱３０,中央支柱４０）に支持されている下側手摺り部７１と、
前記上側階段部１２の勾配に合った傾斜状態で、前記複数の支柱（前側支柱３０,中央支柱４０）に支持されている上側手摺り部７２と、
を備える構成とした。
これにより、下側手摺り部７１を支持する構造と、上側手摺り部７２を支持する構造とを共通化でき、例えば、手摺り部を支持する構造が階段に沿って折り返す場合と比べて、有効階段幅の縮小を防止できる。
【０１０４】
(3) 前記支柱（前側支柱３０）は、中空の外側支柱部（下側支柱本体部３２）と、前記外側支柱部（下側支柱本体部３２）の内部に収容された内側補強部材３４と、を有する構成とした。
これにより、支柱断面積の拡大を抑制しつつ、支柱強度を向上することができる。
【０１０５】
(4) 前記支柱（前側支柱３０）は、前記下階２の床面２ａに固定されたベースプレート３１ａ等から立設した突出部３１ｂと、前記突出部３１ｂ等が挿入される差込部３２ａ等が下端に形成されていると共に、前記下側パネル部６３及び上側パネル部６４を支持する支柱本体部（下側支柱本体部３２,上側支柱本体部３３）と、を有する構成とした。
これにより、長尺な支柱を直接床面２ａに設置する場合と比べて、施工性を向上し、支柱の傾きや位置ずれを防止することができる。
【０１０６】
(5) 前記下側パネル部６３及び前記上側パネル部６４は、前記支柱（前側支柱３０,中央支柱４０）に設けられた下側支持金具（第１金具８１、第３金具８３、第７金具８７、第９金具８９）によって支持され、
前記下側支持金具（第１金具８１、第３金具８３、第７金具８７、第９金具８９）は、上方に向かって突出し、前記下側パネル部６３の枠体Ｗ６３に形成されて下方に開放した下部開口α、又は、前記上側パネル部６４の枠体Ｗ６４に形成されて下方に開放した下部開口αに差し込まれた上向き爪部８１ｂ,８３ｂ,８７ｂ,８９ｂを有する構成とした。
これにより、下側パネル部６３及び上側パネル部６４は、いずれも支柱（前側支柱３０,中央支柱４０）に対してビスの剪断力に加えて、下側支持金具（第１金具８１等）によって下方から支持され、下側パネル部６３及び上側パネル部６４の支持強度の向上を図ることができる。
【０１０７】
(6) 前記下側パネル部６３及び前記上側パネル部６４は、前記支柱（前側支柱３０、中央支柱４０）に設けられた上側支持金具（第２金具８２、第４金具８４、第８金具８８、第１２金具９２）によって支持され、
前記上側支持金具（第２金具８２、第４金具８４、第８金具８８、第１２金具９２）は、下方に向かって突出し、前記下側パネル部６３の枠体Ｗ６３に形成されて上方に開放した上部開口β、又は、前記上側パネル部６４の枠体Ｗ６４に形成されて上方に開放した上部開口βに差し込まれた下向き爪部８２ｂ,８４ｂ,８８ｂ,９２ｃを有する構成とした。
これにより、下側パネル部６３及び上側パネル部６４は、いずれも支柱（前側支柱３０,中央支柱４０）からの脱落を、上側支持金具（第２金具８２等）の下向き爪部８２ｂが枠体Ｗ６３等に干渉することで防止することができる。
【０１０８】
(7) 前記支柱（前側支柱３０）は、前記下側階段部１１に対向した第１側面３２ｆから前記下側階段部１１に向かって突出した第１係止爪３２ｂと、前記上側階段部１２に対向した第２側面３２ｇから前記上側階段部１２に向かって突出した第２係止爪３２ｃと、を有し、
前記第１側面３２ｆには、前記第１係止爪３２ｂと係合する第１被係止部３６ｈが内側面３６ａ´に形成された第１化粧板３６ａが取り付けられ、前記第２側面３２ｇには、前記第２係止爪３２ｃと係合する第２被係止部３６ｊが内側面３６ｂ´に形成された第２化粧板３６ｂが取り付けられている構成とした。
これにより、ビス等を用いることなく、支柱本体部（下側支柱本体部３２）に対して容易に化粧材３６を取り付けることができ、化粧材３６の取り付け施工性の向上を図ることができる。
【０１０９】
(8) 前記第１側面３２ｆには、前記第１係止爪３２ｂが一対形成されていると共に、この一対の第１係止爪３２ｂ,３２ｂの間に配置され且つ前記第１化粧板３６ａに覆われた第１外側補強部材３５ａが設けられ、
前記第２側面３２ｇには、前記第２係止爪３２ｃが一対形成されていると共に、この一対の第２係止爪３２ｃ,３２ｃの間に配置され且つ前記第２化粧板３６ｂに覆われた第２外側補強部材３５ｂが設けられた構成とした。
これにより、支柱断面積の拡大を抑制しつつ、支柱強度を向上することができる。
【０１１０】
(9) 互いに平行に配置されると共に、それぞれの昇降方向が逆向きに設定された下側階段部１１と上側階段部１２とを有し、下階２と上階３とを連絡する階段１０と、を備える建物（建物ユニット１）において、
前記下階２の床面２ａから立設し、前記下側階段部１１と前記上側階段部１２との間に起立した複数の支柱（前側支柱３０,中央支柱４０）と、前記複数の支柱（前側支柱３０,中央支柱４０）間に設けられた壁面パネル６０（第１壁面６１）と、を備え、
前記壁面パネル６０（第１壁面６１）が、上端縁６３ａが前記下側階段部１１の勾配に沿って傾斜すると共に、この上端縁６３ａが前記上側階段部１２の側桁１２ａよりも低い位置に設定された下側パネル部６３と、下端縁６４ｂが前記上側階段部１２の勾配に沿って傾斜すると共に、この下端縁６４ｂが前記下側パネル部６３の上端縁６３ａよりも高い位置に設定された上側パネル部６４と、前記下側パネル部６３の上端縁６３ａと前記上側パネル部６４の下端縁６４ｂとの間に設けられた開放部６５と、を有する階段の仕切り構造２０を備える構成とした。
これにより、平行に配置されると共に、昇降方向が逆向きに設定された下側階段部１１と上側階段部１２の間に壁面パネル６０を設置した際、閉塞感や圧迫感を低減して、開放感を感じさせることができる建物（建物ユニット１）を提供することができる。
【０１１１】
以上、本発明の階段の仕切り構造及び建物を実施例１に基づき説明してきたが、具体的な構成については、これらの実施例に限られるものではなく、特許請求の範囲の各請求項に係る発明の要旨を逸脱しない限り、設計の変更や追加等は許容される。
【０１１２】
実施例１における支柱は、３本としたが、４本以上であってもよいし、逆に２本であってもよい。
支柱の設置本数に拘わらず、支柱間に設けた壁面パネルが、下側パネル部と、上側パネル部と、開放部と、を有することで、閉塞感や圧迫感を低減して、開放感を感じさせることができる。
【０１１３】
また、実施例１の階段の仕切り構造２０では、手摺り７０を備えているが、これに限らない。例えば、下側パネル部６３の上端縁６３ａや、上側パネル部６４の上端縁６４ａ、ガラスパネル６６の上端縁６６ａを手摺りの代わりとしてもよい。
【符号の説明】
【０１１４】
１      建物ユニット（建物）
２      下階
３      上階
１０    階段
１１    下側階段部
１２    上側階段部
１３    踊り場
３０    前側支柱（支柱）
３１ａ  ベースプレート
３１ｂ  突出部
３２    下側支柱本体部（支柱本体部）
３３    上側支柱本体部（支柱本体部）
３４    内側補強部材
３５    外側補強部材
３６    化粧材
４０    中央支柱（支柱）
４１ａ  ベースプレート
４１ｂ  突出部
４２    支柱本体部
４４    内側補強部材
４５    外側補強部材
４６    化粧材
６０    壁面パネル
６３    下側パネル部
６４    上側パネル部
６５    開放部
【図１】
0006767145.tif 000002
【図２Ａ】
0006767145.tif 000003
【図２Ｂ】
0006767145.tif 000004
【図３Ａ】
0006767145.tif 000005
【図３Ｂ】
0006767145.tif 000006
【図３Ｃ】
0006767145.tif 000007
【図４】
0006767145.tif 000008
【図５】
0006767145.tif 000009
【図６】
0006767145.tif 000010
【図７】
0006767145.tif 000011
【図８】
0006767145.tif 000012
【図９】
0006767145.tif 000013
【図１０】
0006767145.tif 000014
【図１１】
0006767145.tif 000015
【図１２】
0006767145.tif 000016
【図１３】
0006767145.tif 000017
【図１４】
0006767145.tif 000018
【図１５】
0006767145.tif 000019
【図１６】
0006767145.tif 000020
【図１７】
0006767145.tif 000021
【図１８】
0006767145.tif 000022
【図１９】
0006767145.tif 000023
【図２０】
0006767145.tif 000024
【図２１】
0006767145.tif 000025
【図２２】
0006767145.tif 000026
【図２３】
0006767145.tif 000027
【図２４】
0006767145.tif 000028
【図２５】
0006767145.tif 000029
【図２６】
0006767145.tif 000030
【図２７】
0006767145.tif 000031
【図２８】
0006767145.tif 000032